(57)【特許請求の範囲】
【請求項１】
台座を含み、
前記台座の上側には密封箱が摺動可能に設置され、前記台座の中には昇降装置が設置され、前記密封箱は前記昇降装置にネジ山で連結され、前記昇降装置で前記密封箱を駆動して上下に摺動させられ、前記昇降装置の上側には挟持装置が設置され、前記挟持装置は加工品を挟持でき
、前記密封箱の中には下方に開口する加工空間が設置され、前記台座の上端は前記加工空間に延びることができ、前記加工品は前記加工空間の中で加工され、
前記加工空間の上内壁の中には検出装置が設置され、前記検出装置は前記挟持装置が前記加工品を挟持しているかどうかを検出でき、前記挟持装置が前記加工品を挟持している場合、前記検出装置はさらに前記加工品にサイズ検出を行うことができ、前記密封箱の上端には警告灯が固定的に連結され、前記警告灯は前記検出装置に通電可能に接続され、前記検出装置は前記挟持装置が加工済みの前記加工品を挟持していることを検出できたら、前記警告灯はつけられ且つ緑光を放ち、前記検出装置が前記挟持装置が加工前の前記加工品を挟持していることを検出できたら、前記警告灯はつけられ且つ赤光を放ち、前記検出装置が前記挟持装置が前記加工品を挟持していないことを検出できたら、前記警告灯は発光しないことを特徴とする機械加工作業ステーションに対する加工品検出設備。
【請求項２】
前記昇降装置は前記台座の中に設置された歯車空間を含み、前記歯車空間の中には駆動歯車が回転可能に設置され、前記駆動歯車の中には下回転軸が固定的に連結され、前記歯車空間の下内壁の中には昇降モータが固定的に設置され、前記下回転軸は下端が前記昇降モータに伝動可能に連結され、
前記駆動歯車の左右両端には従動歯車が対称になるように設置され、且つ前記従動歯車が前記駆動歯車と噛み合い、前記従動歯車の中には長ボルトが固定的に連結され、前記密封箱の中には下方に開口する長ネジ穴が左右対称になるように設置され、前記長ボルトは上方へ前記長ネジ穴に延在し且つ前記密封箱とネジ山で連結されていることを特徴とする請求項１に記載の機械加工作業ステーションに対する加工品検出設備。
【請求項３】
前記挟持装置は前記歯車空間の上内壁の中に形成された上方に開口する固定溝を含み、前記固定溝の内壁の中には四つのばね溝が環状になるように配列され、前記ばね溝は前記固定溝と連通し、前記ばね溝の中には挟持ブロックが摺動可能に設置され、前記挟持ブロックにおいて対称中心から離れた側の端と、前記ばね溝において対称中心から離れた側の内壁とは、固定ばねによって固定的に連結され、前記挟持ブロックにおいて対称中心に近接する側の端は前記固定溝に延在し且つ前記加工品を挟持できることを特徴とする請求項２に記載の機械加工作業ステーションに対する加工品検出設備。
【請求項４】
前記台座は凸形であり、前記密封箱が下限位置に位置する時、前記挟持ブロックは前記加工品を挟持し且つ前記加工品は前記加工空間に位置し、この時に前記加工空間は密封状態にあり、加工時にクズの飛び散りを回避できることを特徴とする請求項３に記載の機械加工作業ステーションに対する加工品検出設備。
【請求項５】
前記検出装置は前記加工空間の上内壁の中に形成され且つ前記加工空間と連通する凹溝を含み、前記凹溝の上内壁の中には位置制限空間が前記凹溝と連通になるように設置され、前記位置制限空間の中には収納箱が摺動可能に設置され、前記収納箱の下端には検出板が固定的に連結され、前記凹溝は前記検出板を収納でき、
前記検出板の中には下方に開口する検出空間が設置され、前記検出空間の前後内壁には下検出センタが対称になるように固定的に設置され且つ前記検出空間の前後内壁にはそれぞれ前記下検出センタが九つあり、前記検出空間の左右内壁には上検出センタが対称になるように固定的に設置され且つ前記検出空間の左右内壁にはそれぞれ前記上検出センタが九つあり、前記上検出センタは前記下検出センタより水平位置が高く、前記上検出センタと前記下検出センタとは前記警告灯に通電可能に接続され、
左右の前記上検出センタと前後の前記下検出センタとは赤外線で連結されていることを特徴とする請求項１に記載の機械加工作業ステーションに対する加工品検出設備。
【請求項６】
前記検出空間の上内壁の中には上方に開口する貫通穴が前記検出空間と連通になるように設置され、前記収納箱の中には下方に開口する収納空間が設置され、前記収納空間の中には挟持板が左右対称になるように且つ摺動可能に設置され、前記挟持板において対称中心から離れた側の端と、前記収納空間の左右内壁とは電磁ばねによって固定的に連結されていることを特徴とする請求項５に記載の機械加工作業ステーションに対する加工品検出設備。
【請求項７】
前記位置制限空間の上内壁の中には離合空間が設置され、前記離合空間の中には固定歯車が回転可能に設置され、前記固定歯車の中には上回転軸が固定的に連結され、前記離合空間の上内壁の中には検出モータが固定的に設置され、前記上回転軸は上端が前記検出モータに伝動可能に連結され、
前記固定歯車の左右両側には摺動歯車が対称になるように且つ摺動可能に設置され、前記摺動歯車は前記固定歯車に噛み合うことができ、前記摺動歯車の中には下方に開口する噛合穴が設置され、前記噛合穴の中には短ボルトがスプラインで連結され、
前記凹溝の上内壁の中には案内空間が左右対称になるように且つ前記凹溝と連通になるように設置され、前記案内空間の中には連結棒が摺動可能に設置され、前記連結棒は下端が前記検出板に固定的に連結され、前記連結棒の中には上方に開口する短ネジ穴が設置され、前記短ボルトは下端が前記短ネジ穴に延在し且つ前記連結棒とねじ山で連結されていることを特徴とする請求項６に記載の機械加工作業ステーションに対する加工品検出設備。
【請求項８】
前記密封箱の中には下方に開口するＵ形溝が左右対称になるように形成され、前記Ｕ形溝の中にはＵ形棒が摺動可能に設置され、前記Ｕ形棒において対称中心から離れた側の端は前記台座に当接でき、前記Ｕ形棒において対称中心に近接する側の端は前記離合空間に延在し且つ両側の前記摺動歯車とそれぞれ回転可能に連結されていることを特徴とする請求項７に記載の機械加工作業ステーションに対する加工品検出設備。
【請求項９】
前記Ｕ形溝の左右内壁の中には摺動案内溝が対称になるように且つ前記Ｕ形溝と連通になるように形成され、前記摺動案内溝の中にはスライダが摺動可能に設置され、前記スライダは前記Ｕ形棒に固定的に連結され、前記スライダの上端と前記摺動案内溝の上内壁とは復位ばねによって固定的に連結されていることを特徴とする請求項８に記載の機械加工作業ステーションに対する加工品検出設備。
【発明の詳細な説明】
【技術分野】
【０００１】
本願発明は機械加工分野を取り上げ、特に機械加工作業ステーションに対する加工品検出設備に関わる。
【背景技術】
【０００２】
加工品を加工し終えた後に、機械加工設備は長時間の待機で使用寿命が影響される恐れがあるため、加工品を加工設備から取り出す必要がある。しかし、一部の加工設備は密封状態で加工を行い、時に丸一日設備が作動した後に、作業員はラストの加工品を取り出すことを忘れてしまう。ここで、設備を開けて加工品があるかどうかを確認すると、時間を費やす。本願は上記問題を解決できる機械加工作業ステーションに対する加工品検出設備を提供する。
【先行技術文献】
【特許文献】
【０００３】
【特許文献１】中国特許出願公開第１０７５０４９８５号明細書
【発明の概要】
【発明が解決しようとする課題】
【０００４】
密封状態で加工を行う加工設備は、作業ステーションに加工品が残りやすいため、設備は長時間待機状態になり、使用寿命が影響されてしまう。
【課題を解決するための手段】
【０００５】
上記問題を解決するため、本願は機械加工作業ステーションに対する加工品検出設備を提供し、本願に記載の機械加工作業ステーションに対する加工品検出設備は、台座を含み、前記台座の上側には密封箱が摺動可能に設置され、前記台座の中には昇降装置が設置され、前記密封箱は前記昇降装置にネジ山で連結され、前記昇降装置で前記密封箱を駆動して上下に摺動させられ、前記昇降装置の上側には挟持装置が設置され、前記挟持装置は加工品を挟持でき、前記密封箱の中には下方に開口する加工空間が設置され、前記台座の上端は前記加工空間に延びることができ、前記加工品は前記加工空間の中で加工され、前記加工空間の上内壁の中には検出装置が設置され、前記検出装置は前記挟持装置が前記加工品を挟持しているかどうかを検出でき、前記挟持装置が前記加工品を挟持している場合、前記検出装置はさらに前記加工品にサイズ検出を行うことができ、前記密封箱の上端には警告灯が固定的に連結され、前記警告灯は前記検出装置に通電可能に接続され、前記検出装置は前記挟持装置が加工済みの前記加工品を挟持していることを検出できたら、前記警告灯はつけられ且つ緑光を放ち、前記検出装置が前記挟持装置が加工前の前記加工品を挟持していることを検出できたら、前記警告灯はつけられ且つ赤光を放ち、前記検出装置が前記挟持装置が前記加工品を挟持していないことを検出できたら、前記警告灯は発光しない。
【０００６】
有益に、前記昇降装置は前記台座の中に設置された歯車空間を含み、前記歯車空間の中には駆動歯車が回転可能に設置され、前記駆動歯車の中には下回転軸が固定的に連結され、前記歯車空間の下内壁の中には昇降モータが固定的に設置され、前記下回転軸は下端が前記昇降モータに伝動可能に連結され、前記駆動歯車の左右両端には従動歯車が対称になるように設置され、且つ前記従動歯車が前記駆動歯車と噛み合い、前記従動歯車の中には長ボルトが固定的に連結され、前記密封箱の中には下方に開口する長ネジ穴が左右対称になるように設置され、前記長ボルトは上方へ前記長ネジ穴に延在し且つ前記密封箱とネジ山で連結され、
前記昇降モータを起動することで、前記下回転軸によって前記駆動歯車は回転し、前記従動歯車を回転させ、そして前記密封箱は前記長ボルトによって連動して昇降する。
【０００７】
有益に、前記挟持装置は前記歯車空間の上内壁の中に形成された上方に開口する固定溝を含み、前記固定溝の内壁の中には四つのばね溝が環状になるように配列され、前記ばね溝は前記固定溝と連通し、前記ばね溝の中には挟持ブロックが摺動可能に設置され、前記挟持ブロックにおいて対称中心から離れた側の端と、前記ばね溝において対称中心から離れた側の内壁とは、固定ばねによって固定的に連結され、前記挟持ブロックにおいて対称中心に近接する側の端は前記固定溝に延在し且つ前記加工品を挟持できる。
【０００８】
有益に、前記台座は凸形であり、
前記密封箱が下限位置に位置する時、前記挟持ブロックは前記加工品を挟持し且つ前記加工品は前記加工空間に位置し、この時に前記加工空間は密封状態にあり、加工時にクズの飛び散りを回避できる。
【０００９】
有益に、前記検出装置は前記加工空間の上内壁の中に形成され且つ前記加工空間と連通する凹溝を含み、前記凹溝の上内壁の中には位置制限空間が前記凹溝と連通になるように設置され、前記位置制限空間の中には収納箱が摺動可能に設置され、前記収納箱の下端には検出板が固定的に連結され、前記凹溝は前記検出板を収納でき、前記検出板の中には下方に開口する検出空間が設置され、前記検出空間の前後内壁には下検出センタが対称になるように固定的に設置され且つ前記検出空間の前後内壁にはそれぞれ前記下検出センタが九つあり、前記検出空間の左右内壁には上検出センタが対称になるように固定的に設置され且つ前記検出空間の左右内壁にはそれぞれ前記上検出センタが九つあり、前記上検出センタは前記下検出センタより水平位置が高く、前記上検出センタと前記下検出センタとは前記警告灯に通電可能に接続され、左右の前記上検出センタと前後の前記下検出センタとは赤外線で連結され、
前記収納箱が下方へ摺動することで前記検出板を下方へ摺動させ、そして前記加工品は連動して前記検出空間に伸び、前記上検出センタと前記下検出センタとの間の赤外線を遮断し、遮断された前記上検出センタと前記下検出センタとの数で前記加工品は加工済みであるかどうかを判定でき、そして前記警告灯は判定によって赤光又は緑光を放ち、前記挟持装置は前記加工品を挟持していない場合、前記上検出センタと前記下検出センタとの間の赤外線は遮断されないため、前記警告灯は発光しない。
【００１０】
好ましくは、前記検出空間の上内壁の中には上方に開口する貫通穴が前記検出空間と連通になるように設置され、前記収納箱の中には下方に開口する収納空間が設置され、前記収納空間の中には挟持板が左右対称になるように且つ摺動可能に設置され、前記挟持板において対称中心から離れた側の端と、前記収納空間の左右内壁とは電磁ばねによって固定的に連結され、
前記上検出センタと前記下検出センタとは前記挟持装置が前記加工品を挟持していることを検出できたら、前記加工品の上端は前記貫通穴を介して前記収納空間に入ることができ、且つ前記電磁ばねは通電され、前記挟持板で前記加工品を挟持する。
【００１１】
有益に、前記位置制限空間の上内壁の中には離合空間が設置され、前記離合空間の中には固定歯車が回転可能に設置され、前記固定歯車の中には上回転軸が固定的に連結され、前記離合空間の上内壁の中には検出モータが固定的に設置され、前記上回転軸は上端が前記検出モータに伝動可能に連結され、前記固定歯車の左右両側には摺動歯車が対称になるように且つ摺動可能に設置され、前記摺動歯車は前記固定歯車に噛み合うことができ、前記摺動歯車の中には下方に開口する噛合穴が設置され、前記噛合穴の中には短ボルトがスプラインで連結され、前記凹溝の上内壁の中には案内空間が左右対称になるように且つ前記凹溝と連通になるように設置され、前記案内空間の中には連結棒が摺動可能に設置され、前記連結棒は下端が前記検出板に固定的に連結され、前記連結棒の中には上方に開口する短ネジ穴が設置され、前記短ボルトは下端が前記短ネジ穴に延在し且つ前記連結棒とねじ山で連結され、
前記摺動歯車が前記固定歯車と噛み合った時、前記検出モータを起動して前記上回転軸によって前記固定歯車を回転させ、そして前記摺動歯車は連動して回転し、前記短ボルトによって前記連結棒を摺動させることで、前記検出板を摺動させる。
【００１２】
有益に、前記密封箱の中には下方に開口するＵ形溝が左右対称になるように形成され、前記Ｕ形溝の中にはＵ形棒が摺動可能に設置され、前記Ｕ形棒において対称中心から離れた側の端は前記台座に当接でき、前記Ｕ形棒において対称中心に近接する側の端は前記離合空間に延在し且つ両側の前記摺動歯車とそれぞれ回転可能に連結され、
前記密封箱が前記台座と当接していない場合、前記Ｕ形棒において対称中心から離れた側の端は前記Ｕ形溝の外部に延在し、前記密封箱が降下すると、前記Ｕ形棒はまず前記台座と接触し、また、前記台座が前記Ｕ形棒を押して上方へ摺動させ、そして前記摺動歯車は連動して上方へ摺動し、前記密封箱が前記台座と当接になる場合、前記Ｕ形棒は完全に前記Ｕ形溝に位置し、且つ前記摺動歯車はちょうど前記固定歯車と噛み合う。
【００１３】
好ましくは、前記Ｕ形溝の左右内壁の中には摺動案内溝が対称になるように且つ前記Ｕ形溝と連通になるように形成され、前記摺動案内溝の中にはスライダが摺動可能に設置され、前記スライダは前記Ｕ形棒に固定的に連結され、前記スライダの上端と前記摺動案内溝の上内壁とは復位ばねによって固定的に連結され、
前記Ｕ形棒が上方へ摺動することで、前記スライダは連動して上方へ摺動し且つ前記復位ばねを圧縮し、前記密封箱が前記台座から離脱すると、前記復位ばねにより前記Ｕ形棒は前記Ｕ形溝から伸び出る。
【発明の効果】
【００１４】
本発明は以下のプラス効果を有する：本願発明は密封状態で加工を行う機械加工に応用され、作業ステーションに加工品の存在を自動的に検出でき、もし加工品が残された場合、自動的に加工品を収納し、設備が長時間に待機することを回避でき、また、警告灯で加工品が残されていることを作業員に伝える。
【図面の簡単な説明】
【００１５】
下記に図１〜７を合わせて本発明について詳しく説明し、便利に説明するために、本願に記載の各方向を以下のように規定する：図１は本願発明の正面図であり、本願に記載の各方向は、図１における観察方向に基づくものである。
【００１６】
【図１】図１は本願発明の全体構成略図
【図２】図２は図１におけるＡ―Ａ方向からの構成略図
【図３】図３は図１におけるＢの拡大略図
【図４】図４は図１におけるＣの拡大略図
【図５】図５は図２におけるＤの拡大略図
【図６】図６は図３におけるＥ―Ｅ方向からの構成略図
【図７】図７は図４におけるＦ―Ｆ方向からの構成略図
【発明を実施するための形態】
【００１７】
本願は機械加工作業ステーションに対する加工品検出設備を取り上げ、主に密封状態で加工を行う加工設備が作動停止後に、作業ステーションに加工品が残されているかどうかに対する検出作業に応用され、以下に図面をあわせて本願発明について詳しく説明する。
【００１８】
本願に記載の機械加工作業ステーションに対する加工品検出設備は、台座１１を含み、前記台座１１の上側には密封箱１３が摺動可能に設置され、前記台座１１の中には昇降装置１０２が設置され、前記密封箱１３は前記昇降装置１０２にネジ山で連結され、前記昇降装置１０２で前記密封箱１３を駆動して上下に摺動させられ、前記昇降装置１０２の上側には挟持装置１０１が設置され、前記挟持装置１０１は加工品４７を挟持でき、前記密封箱１３の中には下方に開口する加工空間２１が設置され、前記台座１１の上端は前記加工空間２１に延びることができ、前記加工品４７は前記加工空間２１の中で加工され、前記加工空間２１の上内壁の中には検出装置１００が設置され、前記検出装置１００は前記挟持装置１０１が前記加工品４７を挟持しているかどうかを検出でき、前記挟持装置１０１が前記加工品４７を挟持している場合、前記検出装置１００はさらに前記加工品４７にサイズ検出を行うことができ、前記密封箱１３の上端には警告灯１９が固定的に連結され、前記警告灯１９は前記検出装置１００に通電可能に接続され、前記検出装置１００は前記挟持装置１０１が加工済みの前記加工品４７を挟持していることを検出できたら、前記警告灯１９はつけられ且つ緑光を放ち、前記検出装置１００が前記挟持装置１０１が加工前の前記加工品４７を挟持していることを検出できたら、前記警告灯１９はつけられ且つ赤光を放ち、前記検出装置１００が前記挟持装置１０１が前記加工品４７を挟持していないことを検出できたら、前記警告灯１９は発光しない。
【００１９】
前記昇降装置１０２は前記台座１１の中に設置された歯車空間２２を含み、前記歯車空間２２の中には駆動歯車２５が回転可能に設置され、前記駆動歯車２５の中には下回転軸２４が固定的に連結され、前記歯車空間２２の下内壁の中には昇降モータ２３が固定的に設置され、前記下回転軸２４は下端が前記昇降モータ２３に伝動可能に連結され、前記駆動歯車２５の左右両端には従動歯車２６が対称になるように設置され、且つ前記従動歯車２６が前記駆動歯車２５と噛み合い、前記従動歯車２６の中には長ボルト１２が固定的に連結され、前記密封箱１３の中には下方に開口する長ネジ穴１４が左右対称になるように設置され、前記長ボルト１２は上方へ前記長ネジ穴１４に延在し且つ前記密封箱１３とネジ山で連結され、
前記昇降モータ２３を起動することで、前記下回転軸２４によって前記駆動歯車２５は回転し、前記従動歯車２６を回転させ、そして前記密封箱１３は前記長ボルト１２によって連動して昇降する。
【００２０】
前記挟持装置１０１は前記歯車空間２２の上内壁の中に形成された上方に開口する固定溝４６を含み、前記固定溝４６の内壁の中には四つのばね溝３３が環状になるように配列され、前記ばね溝３３は前記固定溝４６と連通し、前記ばね溝３３の中には挟持ブロック４８が摺動可能に設置され、前記挟持ブロック４８において対称中心から離れた側の端と、前記ばね溝３３において対称中心から離れた側の内壁とは、固定ばね３２によって固定的に連結され、前記挟持ブロック４８において対称中心に近接する側の端は前記固定溝４６に延在し且つ前記加工品４７を挟持できる。
【００２１】
好ましくは、前記台座１１は凸形であり、
前記密封箱１３が下限位置に位置する時、前記挟持ブロック４８は前記加工品４７を挟持し且つ前記加工品４７は前記加工空間２１に位置し、この時に前記加工空間２１は密封状態にあり、加工時にクズの飛び散りを回避できる。
【００２２】
前記検出装置１００は前記加工空間２１の上内壁の中に形成され且つ前記加工空間２１と連通する凹溝３５を含み、前記凹溝３５の上内壁の中には位置制限空間１５が前記凹溝３５と連通になるように設置され、前記位置制限空間１５の中には収納箱３９が摺動可能に設置され、前記収納箱３９の下端には検出板４１が固定的に連結され、前記凹溝３５は前記検出板４１を収納でき、前記検出板４１の中には下方に開口する検出空間４５が設置され、前記検出空間４５の前後内壁には下検出センタ４３が対称になるように固定的に設置され且つ前記検出空間４５の前後内壁にはそれぞれ前記下検出センタ４３が九つあり、前記検出空間４５の左右内壁には上検出センタ４２が対称になるように固定的に設置され且つ前記検出空間４５の左右内壁にはそれぞれ前記上検出センタ４２が九つあり、前記上検出センタ４２は前記下検出センタ４３より水平位置が高く、前記上検出センタ４２と前記下検出センタ４３とは前記警告灯１９に通電可能に接続され、左右の前記上検出センタ４２と前後の前記下検出センタ４３とは赤外線で連結され、
前記収納箱３９が下方へ摺動することで前記検出板４１を下方へ摺動させ、そして前記加工品４７は連動して前記検出空間４５に伸び、前記上検出センタ４２と前記下検出センタ４３との間の赤外線を遮断し、遮断された前記上検出センタ４２と前記下検出センタ４３との数で前記加工品４７は加工済みであるかどうかを判定でき、そして前記警告灯１９は判定によって赤光又は緑光を放ち、前記挟持装置１０１は前記加工品４７を挟持していない場合、前記上検出センタ４２と前記下検出センタ４３との間の赤外線は遮断されないため、前記警告灯１９は発光しない。
【００２３】
好ましくは、前記検出空間４５の上内壁の中には上方に開口する貫通穴４４が前記検出空間４５と連通になるように設置され、前記収納箱３９の中には下方に開口する収納空間４０が設置され、前記収納空間４０の中には挟持板４９が左右対称になるように且つ摺動可能に設置され、前記挟持板４９において対称中心から離れた側の端と、前記収納空間４０の左右内壁とは電磁ばね５０によって固定的に連結され、
前記上検出センタ４２と前記下検出センタ４３とは前記挟持装置１０１が前記加工品４７を挟持していることを検出できたら、前記加工品４７の上端は前記貫通穴４４を介して前記収納空間４０に入ることができ、且つ前記電磁ばね５０は通電され、前記挟持板４９で前記加工品４７を挟持する。
【００２４】
好ましくは、前記位置制限空間１５の上内壁の中には離合空間２０が設置され、前記離合空間２０の中には固定歯車１６が回転可能に設置され、前記固定歯車１６の中には上回転軸１８が固定的に連結され、前記離合空間２０の上内壁の中には検出モータ１７が固定的に設置され、前記上回転軸１８は上端が前記検出モータ１７に伝動可能に連結され、前記固定歯車１６の左右両側には摺動歯車５２が対称になるように且つ摺動可能に設置され、前記摺動歯車５２は前記固定歯車１６に噛み合うことができ、前記摺動歯車５２の中には下方に開口する噛合穴５１が設置され、前記噛合穴５１の中には短ボルト３８がスプラインで連結され、前記凹溝３５の上内壁の中には案内空間３７が左右対称になるように且つ前記凹溝３５と連通になるように設置され、前記案内空間３７の中には連結棒３６が摺動可能に設置され、前記連結棒３６は下端が前記検出板４１に固定的に連結され、前記連結棒３６の中には上方に開口する短ネジ穴３４が設置され、前記短ボルト３８は下端が前記短ネジ穴３４に延在し且つ前記連結棒３６とねじ山で連結され、
前記摺動歯車５２が前記固定歯車１６と噛み合った時、前記検出モータ１７を起動して前記上回転軸１８によって前記固定歯車１６を回転させ、そして前記摺動歯車５２は連動して回転し、前記短ボルト３８によって前記連結棒３６を摺動させることで、前記検出板４１を摺動させる。
【００２５】
好ましくは、前記密封箱１３の中には下方に開口するＵ形溝３１が左右対称になるように形成され、前記Ｕ形溝３１の中にはＵ形棒３０が摺動可能に設置され、前記Ｕ形棒３０において対称中心から離れた側の端は前記台座１１に当接でき、前記Ｕ形棒３０において対称中心に近接する側の端は前記離合空間２０に延在し且つ両側の前記摺動歯車５２とそれぞれ回転可能に連結され、
前記密封箱１３が前記台座１１と当接していない場合、前記Ｕ形棒３０において対称中心から離れた側の端は前記Ｕ形溝３１の外部に延在し、前記密封箱１３が降下すると、前記Ｕ形棒３０はまず前記台座１１と接触し、また、前記台座１１が前記Ｕ形棒３０を押して上方へ摺動させ、そして前記摺動歯車５２は連動して上方へ摺動し、前記密封箱１３が前記台座１１と当接になる場合、前記Ｕ形棒３０は完全に前記Ｕ形溝３１に位置し、且つ前記摺動歯車５２はちょうど前記固定歯車１６と噛み合う。
【００２６】
好ましくは、前記Ｕ形溝３１の左右内壁の中には摺動案内溝２７が対称になるように且つ前記Ｕ形溝３１と連通になるように形成され、前記摺動案内溝２７の中にはスライダ２８が摺動可能に設置され、前記スライダ２８は前記Ｕ形棒３０に固定的に連結され、前記スライダ２８の上端と前記摺動案内溝２７の上内壁とは復位ばね２９によって固定的に連結され、
前記Ｕ形棒３０が上方へ摺動することで、前記スライダ２８は連動して上方へ摺動し且つ前記復位ばね２９を圧縮し、前記密封箱１３が前記台座１１から離脱すると、前記復位ばね２９により前記Ｕ形棒３０は前記Ｕ形溝３１から伸び出る。
【００２７】
以下に図１〜図７をあわせ、本願発明の使用手順について詳しく説明する。
【００２８】
はじめに、密封箱１３は台座１１と当接し、摺動歯車５２は固定歯車１６と噛み合い、検出板４１は上限位置にある。
【００２９】
加工時に、固定ばね３２により挟持ブロック４８で加工品４７を挟持し、挟持装置１０１に加工品４７があるかどうかを検出するには、検出モータ１７を起動して上回転軸１８によって固定歯車１６を回転させ、そして摺動歯車５２は連動して回転し、短ボルト３８によって連結棒３６を摺動させることで、検出板４１を摺動させ、挟持ブロック４８の間に加工品４７がない場合、上検出センタ４２と下検出センタ４３との間の赤外線は遮断されないため、警告灯１９は発光しなく、挟持ブロック４８の間に加工品４７が挟持されている場合、加工品４７は検出空間４５に伸び、上検出センタ４２と下検出センタ４３との間の赤外線を遮断し、上検出センタ４２と下検出センタ４３とが未加工の加工品４７を検知できたら、警告灯１９はつけられて赤光を放ち、上検出センタ４２と下検出センタ４３とが加工済みの加工品４７を検知できたら、警告灯１９はつけられて緑光を放ち、検出板４１は引き続き下方へ摺動し、加工品４７の上端が貫通穴４４を介して収納空間４０に入り、電磁ばね５０は通電され、挟持板４９で加工品４７を挟持し、この時に電磁ばね５０は固定ばね３２より弾力が強く、ここで検出モータ１７を逆回転させ、収納箱３９と検出板４１とを上昇させ、そして加工品４７は連動して上昇し、検出板４１が凹溝３５の中に位置する時に、検出モータ１７を止め、加工品４７を挟持装置１０１から離脱させ、
加工品４７を取り出すには、昇降モータ２３を起動することで、下回転軸２４によって駆動歯車２５は回転し、従動歯車２６を回転させ、そして密封箱１３は長ボルト１２によって連動して上昇し、加工空間２１を開け、ここで電磁ばね５０を停電させ、加工品４７を取り出せば良い。
【００３０】
以上の方式により、当該分野の技術者は本願発明の範囲内で作業状況に応じて様々な改変を加えることができる。
【要約】
【課題】本願は機械加工作業ステーションに対する加工品検出設備を開示した。
【解決手段】
本願に記載の機械加工作業ステーションに対する加工品検出設備は、台座を含み、前記台座の上側には密封箱が摺動可能に設置され、前記台座の中には昇降装置が設置され、前記密封箱は前記昇降装置にネジ山で連結され、前記昇降装置で前記密封箱を駆動して上下に摺動させられ、前記昇降装置の上側には挟持装置が設置され、前記挟持装置は加工品を挟持でき、前記密封箱の中には下方に開口する加工空間が設置され、前記台座の上端は前記加工空間に伸びられ、前記加工品は前記加空間の中で加工され、前記加工空間の上内壁の中には検出装置が設置され、前記検出装置は前記挟持装置が前記加工品を挟持しているかどうかを検出できる。
【選択図】図１【図１】
0006826257.tif 000002
【図２】
0006826257.tif 000003
【図３】
0006826257.tif 000004
【図４】
0006826257.tif 000005
【図５】
0006826257.tif 000006
【図６】
0006826257.tif 000007
【図７】
0006826257.tif 000008